(57)【要約】【課題】画像形成装置の機種毎にメッセージファイルを人手によって生成する手間を省き、開発担当者の作業の効率化を図ることができる画像形成装置を提供することである。【解決手段】画像形成装置は、取得部１２１と、生成部１２３とを備える。取得部１２１は、画像形成装置を含む複数の機種の画像形成装置に共通して、ハードウェアの状態を報知する第一のメッセージ３８、および画像形成装置を含む複数の機種の画像形成装置毎にそれぞれ異なり、ハードウェアの状態を報知する複数の第二のメッセージ３９から構成されるマスターメッセージファイル３７を、画像形成装置の外部から取得する。生成部１２３は、取得部１２１により取得された第一のメッセージ３８、および抽出部１２２により抽出された第二のメッセージ３９から画像形成装置に対応するローカルメッセージファイル４２を生成する。【選択図】図４
2018169565.tif 000002
【特許請求の範囲】
【請求項１】
複数のハードウェアを含む画像形成装置であって、
情報を表示する表示部と、
前記画像形成装置を含む複数の機種の画像形成装置に共通して、前記ハードウェアの状態を報知する第一のメッセージ、前記画像形成装置を含む複数の機種の前記画像形成装置毎にそれぞれ異なり、ハードウェアの状態を報知する複数の第二のメッセージ、および前記第一のメッセージと前記第二のメッセージに割り振られる識別記号から構成されるマスターメッセージファイルを、前記画像形成装置の外部から取得する取得部と、
前記取得部により取得された前記マスターメッセージファイルに含まれる複数の前記第二のメッセージの中から、前記画像形成装置に対応する前記第二のメッセージを抽出する抽出部と、
前記取得部により取得された前記第一のメッセージ、および前記抽出部により抽出された前記第二のメッセージから前記画像形成装置に対応するローカルメッセージファイルを生成する生成部と、
前記生成部により生成された前記ローカルメッセージファイルを所定のタイミングで前記表示部に表示するよう制御する表示制御部と、を備える、画像形成装置。
【請求項２】
前記マスターメッセージファイルには、前記第二のメッセージであることを示す符号が付与されている、請求項１に記載の画像形成装置。
【請求項３】
前記画像形成装置の有する前記ハードウェアの構成のデータである構成データを記憶する記憶部をさらに備え、
前記抽出部は、前記記憶部に記憶された前記構成データに基づいて前記第二のメッセージを抽出する、請求項１または請求項２に記載の画像形成装置。
【請求項４】
前記抽出部により抽出された前記第二のメッセージが、前記構成データに基づいて適切であるか否かを判断する判断部と、
前記判断部により不適切であると判断されれば、警告を発するよう制御する警告部とをさらに備える、請求項３に記載の画像形成装置。
【請求項５】
前記取得部は、前記画像形成装置の外部から前記マスターメッセージファイルのデータをダウンロードすることにより取得する、請求項１〜請求項４のいずれか１項に記載の画像形成装置。
【請求項６】
画像を形成する画像形成部と、前記画像形成部に関する情報を表示する表示部とを含み、複数のハードウェアから構成される画像形成装置の表示制御方法であって、
前記画像形成装置を含む複数の機種の画像形成装置に共通して、前記ハードウェアの状態を報知する第一のメッセージ、前記画像形成装置を含む複数の機種の前記画像形成装置毎にそれぞれ異なり、ハードウェアの状態を報知する複数の第二のメッセージ、および前記第一のメッセージと前記第二のメッセージに割り振られる識別記号から構成されるマスターメッセージファイルを、前記画像形成装置の外部から取得する取得工程と、
前記取得工程により取得された前記マスターメッセージファイルに含まれる複数の前記第二のメッセージの中から、前記画像形成装置に対応する前記第二のメッセージを抽出する抽出工程と、
前記取得工程により取得された前記第一のメッセージ、および前記抽出工程により抽出された前記第二のメッセージから前記画像形成装置に対応するローカルメッセージファイルを生成する生成工程と、
前記生成工程により生成された前記ローカルメッセージファイルを所定のタイミングで前記表示部に表示するよう制御する表示制御工程と、を備える、画像形成装置の表示制御方法。
【発明の詳細な説明】
【技術分野】
【０００１】
この発明は、画像形成装置、および画像形成装置の表示制御方法に関するものである。
【背景技術】
【０００２】
画像形成装置において、ユーザーに画像形成装置の状態や使用方法を報知するための画像形成装置の複数のハードウェアに関するメッセージが表示部に表示される。ここで、画像形成装置のハードウェアとは、画像形成装置の物理的な構成要素である。例えば、用紙を搬送する用紙搬送部や、用紙に画像を形成する画像形成部等である。また、ハードウェアに関するメッセージとは、例えば、用紙搬送部において紙づまりが発生した場合には、用紙搬送部において紙づまりが発生したことを報知する内容のメッセージである。
【０００３】
ここで、表示部に画像形成装置固有の機能や状態と連動して適当な情報を表示部に表示させる技術が、特開２００９−００９５９７号公報（特許文献１）に開示されている。
【０００４】
特許文献１に開示の組み込み装置では、ブラウザ手段と、制御手段と、インターフェース手段とを有する。ブラウザ手段は、少なくともマークアップ言語によって記述された文書データを含むＷｅｂコンテンツデータをロードし、該ロードされたＷｅｂコンテンツデータに基づいて、プレゼンテーションを行う。制御手段は、組み込み装置の情報および動作を制御する。インターフェース手段は、ブラウザ手段が制御手段によって制御される、組み込み装置の情報および動作にアクセスするためのインターフェースを提供する。ブラウザ手段は、インターフェース手段を介して制御手段によって制御される、組み込み装置の情報および動作にアクセスして得られた結果に基づいて、組み込み装置を利用中のユーザーを識別し、そのユーザーに応じた文書の内容を表示することを特徴とする。
【先行技術文献】
【特許文献】
【０００５】
【特許文献１】特開２００９−００９５９７号公報
【発明の概要】
【発明が解決しようとする課題】
【０００６】
画像形成装置においては、表示部に表示されるメッセージと、そのメッセージに紐付けられた識別情報を含むメッセージファイルが画像形成装置の機種毎に開発担当者により作成される場合がある。そして、画像形成装置毎に作成されたメッセージファイルは、それぞれの画像形成装置に記憶される。そして、画像形成装置中の制御部は、ハードウェアの状態に応じて適切なメッセージに対応する識別情報を抽出する。そして、識別情報を抽出した後に、識別情報に紐付けられたメッセージが表示部に表示される。しかしながら、メッセージファイルを画像形成装置の機種毎に開発担当者の人手により作成していると、作業が煩雑となり好ましくない。
【０００７】
この発明の目的は、画像形成装置の機種毎にメッセージファイルを人手によって生成する手間を省き、開発担当者の作業の効率化を図ることができる画像形成装置を提供することである。
【課題を解決するための手段】
【０００８】
この発明の一の局面において画像形成装置は、複数のハードウェアを含む。画像形成装置は、情報を表示する表示部と、取得部と、抽出部と、生成部と、表示制御部と、を備える。取得部は、画像形成装置を含む複数の機種の画像形成装置に共通して、ハードウェアの状態を報知する第一のメッセージ、画像形成装置を含む複数の機種の画像形成装置毎にそれぞれ異なり、ハードウェアの状態を報知する複数の第二のメッセージ、および第一のメッセージと第二のメッセージに割り振られる識別記号から構成されるマスターメッセージファイルを、画像形成装置の外部から取得する。抽出部は、取得部により取得されたマスターメッセージファイルに含まれる複数の第二のメッセージの中から、画像形成装置に対応する第二のメッセージを抽出する。生成部は、取得部により取得された第一のメッセージ、および抽出部により抽出された第二のメッセージから画像形成装置に対応するローカルメッセージファイルを生成する。表示制御部は、生成部により生成されたローカルメッセージファイルを所定のタイミングで表示部に表示するよう制御する。
【０００９】
この発明の他の局面において、画像形成装置の表示制御方法は、取得工程と、抽出工程と、生成工程と、表示制御工程と、を備える。画像形成装置は、画像を形成する画像形成部と、画像形成部に関する情報を表示する表示部とを含み、複数のハードウェアから構成される。取得工程は、画像形成装置を含む複数の機種の画像形成装置に共通して、ハードウェアの状態を報知する第一のメッセージ、画像形成装置を含む複数の機種の画像形成装置毎にそれぞれ異なり、ハードウェアの状態を報知する複数の第二のメッセージ、および第一のメッセージと第二のメッセージに割り振られる識別記号から構成されるマスターメッセージファイルを、画像形成装置の外部から取得する。抽出工程は、取得工程により取得されたマスターメッセージファイルに含まれる複数の第二のメッセージの中から、画像形成装置に対応する第二のメッセージを抽出する。生成工程は、取得工程により取得された第一のメッセージ、および抽出工程により抽出された第二のメッセージから画像形成装置に対応するローカルメッセージファイルを生成する。表示制御工程は、生成工程により生成されたローカルメッセージファイルを所定のタイミングで表示部に表示するよう制御する。
【発明の効果】
【００１０】
このような画像形成装置によれば、複数の機種の画像形成装置毎にそれぞれ異なり、ハードウェアの状態を報知する複数の第二のメッセージを含むマスターメッセージファイルを外部から取得する。このようにすることで、画像形成装置の複数の機種に対して共通に上記マスターメッセージファイルを用いることができる。そして、画像形成装置の機種毎にメッセージが異なる場合には、それぞれの機種に適したメッセージがマスターメッセージファイルから抽出される。そして、画像形成装置の各機種に応じたオリジナルのメッセージファイルを人手に依らずに生成することができる。従って、画像形成装置の機種毎にメッセージファイルを人手によって生成する手間を省き、開発担当者の作業の効率化を図ることができる。
【００１１】
また、このような画像形成装置の表示制御方法によれば、画像形成装置の機種毎にメッセージファイルを人手によって生成する手間を省き、開発担当者の作業の効率化を図ることができる。
【図面の簡単な説明】
【００１２】
【図１】この発明の一実施形態に係る画像形成装置を複合機に適用した場合の複合機の構成を示すブロック図である。
【図２】制御部の構成を示すブロック図である。
【図３】マスターメッセージファイルの構成を示す概念図である。
【図４】マスターメッセージファイルを取得しローカルメッセージファイルを生成して表示画面に表示する場合の処理の流れを示すフローチャートである。
【図５】ローカルメッセージファイルの構成を示す概念図である。
【図６】表示画面に警告メッセージが表示された場合の警告メッセージ画面の模式図である。
【発明を実施するための形態】
【００１３】
以下、この発明の実施の形態を説明する。図１は、この発明の一実施形態に係る画像形成装置を複合機に適合した場合の複合機１１の構成を示すブロック図である。
【００１４】
図１において、複合機１１は、複数のハードウェアを含む。複合機１１は、制御部１２と、操作部１３と、画像読み取り部１４と、画像形成部１５と、給紙カセット１８と、用紙搬送部２５と、ハードディスク３２と、通信部３４と、を備える。
【００１５】
制御部１２は、複合機１１全体の制御を行う。制御部１２は、ＣＰＵ等から構成されており、一時的にデータを記憶する記憶部としての主記憶メモリ３１を含む。操作部１３は、情報を表示する表示部としての表示画面２１を含む。画像読み取り部１４は、載置台１９上にセットされた原稿を読み取ることによって原稿の画像を取得する。用紙搬送部２５は、複数の搬送ローラー（図示せず）を含み、給紙カセット１８にセットされた用紙を画像形成部１５へ搬送する。画像形成部１５は、画像読み取り部１４により取得された原稿の画像を基に、給紙カセット１８から搬送されてきた用紙に画像を形成する。記憶部としてのハードディスク３２は、送信された画像データや入力された画像形成条件等、画像形成に関するデータを記憶する。また、ハードディスク３２は、複合機１１の有するハードウェアの構成のデータである構成データ、およびメッセージファイルを記憶する。通信部３４は、格納装置としてのサーバー３０とネットワーク（図示せず）を介して、データ通信可能である。
【００１６】
格納装置としてのサーバー３０は、サーバー通信部３５と、サーバー記憶部３６と、を備える。サーバー通信部３５は、複合機１１とネットワーク（図示せず）を介して、データ通信可能である。サーバー記憶部３６は、ハードディスクから構成される。サーバー記憶部３６は、メッセージファイルを記憶する。
【００１７】
次に、複合機１１に備えられる制御部１２の構成について説明する。図２は、制御部１２の構成を示すブロック図である。図２を参照して、制御部１２は、取得部１２１と、抽出部１２２と、生成部１２３と、表示制御部１２４と、判断部１２５と、警告部１２６と、を備える。
【００１８】
取得部１２１は、マスターメッセージファイルを外部から取得する。ここで、マスターメッセージファイルとは、複合機１１を含む複数の機種の複合機１１に共通して、ハードウェアの状態を報知する第一のメッセージ、複合機１１を含む複数の機種の複合機毎にそれぞれ異なり、ハードウェアの状態を報知する複数の第二のメッセージ、および第一のメッセージと第二のメッセージに割り振られる識別記号から構成されるメッセージファイルである。抽出部１２２は、取得部１２１により取得されたマスターメッセージファイルに含まれる複数の第二のメッセージの中から、複合機１１に対応する第二のメッセージを抽出する。マスターメッセージファイルについては、後に詳述する。
【００１９】
生成部１２３は、取得部１２１により取得された第一のメッセージ、および抽出部１２２により抽出された第二のメッセージから複合機１１に対応するローカルメッセージファイルを生成する。表示制御部１２４は、生成部１２３により生成されたローカルメッセージファイルを所定のタイミングで表示画面２１に表示するよう制御する。判断部１２５は、抽出部１２２により抽出された第二のメッセージが、構成データに基づいて適切であるか否かを判断する。警告部１２６は、判断部１２５により不適切であると判断されれば、警告を発するよう制御する。これらの構成、およびローカルメッセージファイルについては、後に詳述する。
【００２０】
次に、マスターメッセージファイルの構成について説明する。図３は、マスターメッセージファイルの構成を示す概念図である。図３を参照して、マスターメッセージファイル３７は、第一のメッセージ３８と、第二のメッセージ３９と、識別記号４１と、を含む。マスターメッセージファイル３７は、第一のメッセージ３８、第二のメッセージ３９、および識別記号４１をテーブル形式で保持している。第一のメッセージ３８は、複合機１１を含む複数の機種の複合機に共通して、ハードウェアの状態を報知するメッセージである。第二のメッセージ３９は、複合機１１を含む複数の機種の複合機毎にそれぞれ異なり、ハードウェアの状態を報知するメッセージである。識別記号４１は、第一のメッセージ３８および第二のメッセージ３９に割り振られた記号である。第一のメッセージ３８は、例えば「コピーできます」との内容のメッセージ３８ａと、「送信できます」との内容のメッセージ３８ｂと、「部数」との内容のメッセージ３８ｃと、「紙づまりです」との内容のメッセージ３８ｄと、を含む。
【００２１】
それぞれのメッセージ３８ａ〜３８ｄには、１つの識別記号４１が割り振られる。例えば、メッセージ３８ａには、１つの識別記号「ＭＳＧ＿ＩＤ＿１」４１ａが割り振られる。第二のメッセージ３９は、例えば「右カバーを開けてください」との内容のメッセージ３９ａと、「左カバーを開けてください」との内容のメッセージ３９ｂと、を含む。第二のメッセージ３９は、複数の第二のメッセージ３９に１つの識別記号４１が割り振られる。例えば、複数の第二のメッセージ３９ａ、３９ｂに１つの識別記号「ＭＳＧ＿ＩＤ＿１００」４１ｅが割り振られる。また、第二のメッセージ３９であることを示す符号３９ｃが付与される。このようにすることで、符号３９ｃを識別して第二のメッセージ３９であることを認識することができる。なお、符号３９ｃを付与せずに、単に複数の第二のメッセージ３９との間にカンマを付与するようにしてもよい。このようにすることで、カンマで区切られたメッセージがあれば、このメッセージを第二のメッセージ３９として識別することができる。
【００２２】
次に、マスターメッセージファイル３７を取得して、ローカルメッセージファイルを生成して表示画面２１に表示する場合について説明する。図４は、マスターメッセージファイル３７を取得しローカルメッセージファイルを生成して表示画面２１に表示する場合の処理の流れを示すフローチャートである。
【００２３】
図４を参照して、まず、取得部１２１により、ハードディスク３２に記憶されたマスターメッセージファイル３７を取得する（図４において、ステップＳ１１、以下、「ステップ」を省略する）。そして、抽出部１２２により、取得部１２１によって取得されたメッセージファイル３７に含まれる複数の第二のメッセージ３９の中から、複合機１１に対応する第二のメッセージ３９を抽出する（Ｓ１２）。図３を参照して、メッセージファイル３７に含まれる複数の第二のメッセージ３９ａ、３９ｂの中から、複合機１１に対応する第二のメッセージ３９を抽出する。複合機１１が右カバーを有する場合には、第二のメッセージ３９のうち「右カバーを開けてください」という内容の第二のメッセージ３９ａが抽出される。
【００２４】
次に、生成部１２３により、取得部１２１により取得された第一のメッセージ、および抽出部１２２により抽出された第二のメッセージ３９から複合機１１に対応するローカルメッセージファイルが生成される（Ｓ１３）。そして、表示制御部１２４により、生成部１２３により生成されたローカルメッセージファイルを所定のタイミングで表示画面２１に表示する（Ｓ１４）。
【００２５】
図５は、ローカルメッセージファイルの構成を示す概念図である。図５を参照して、ローカルメッセージファイル４２は、メッセージ４３ａ、４３ｂ、４３ｃ、４３ｄ、４３ｅを含む。そして、それぞれのメッセージ４３ａ〜４３ｅに１つの識別記号４４ａ〜４４ｅが割り振られる。例えば、メッセージ４３ａには、１つの識別記号「ＭＳＨ＿ＩＤ＿１」４４ａが割り振られる。図３および図５を参照して、ローカルメッセージファイル４２は、マスターメッセージファイル３７のうち、取得部１２１により取得された第一のメッセージ３８ａ〜３８ｄ、および抽出部１２２により抽出された第二のメッセージ３９ａから構成される。すなわち、ローカルメッセージファイル４２は、複数の機種の複合機１１に共通してハードウェアの状態を報知する第一のメッセージ３８と、複合機１１のハードウェアに対応して抽出された第二のメッセージ３９と、識別記号４４とから構成されるメッセージファイルである。ローカルメッセージファイル４２のメッセージ４３ａ〜４３ｄは、第一のメッセージ３８ａ〜３８ｄに対応する。また、メッセージ４３ｅは、第二のメッセージ３９ａに対応する。そして、ローカルメッセージファイルの識別記号４４ａ〜４４ｅを抽出し、表示画面２１にはその識別記号に紐付けられたメッセージが表示される。
【００２６】
このような複合機１１によれば、複数の機種の複合機１１毎にそれぞれ異なり、ハードウェアの状態を報知する複数の第二のメッセージ３９を含むマスターメッセージファイル３７を外部から取得する。このようにすることで、複合機１１の複数の機種に対して共通に上記マスターメッセージファイル３７を用いることができる。そして、複合機１１の機種毎にメッセージが異なる場合には、それぞれの機種に適したメッセージがマスターメッセージファイル３７から抽出される。そして、複合機１１の各機種に応じたオリジナルのメッセージファイルを人手に依らずに生成することができる。従って、複合機１１の機種毎にメッセージファイルを人手によって生成する手間を省き、開発担当者の作業の効率化を図ることができる。
【００２７】
なお、複合機１１の有するハードウェアの構成のデータである構成データをハードディスク３２に記憶するようにしてもよい。そして、Ｓ１２において、抽出部１２２により、ハードディスク３２に記憶された構成データに基づいて第二のメッセージ３９を抽出するようにしてもよい。このようにすることで、より確実に適切な第二のメッセージ３９を抽出することができる。複合機１１が右カバーを有する場合、複合機１１の右カバーを含む構成データがハードディスク３２に記憶される。そして、上記の構成データに基づいて、第二のメッセージ３９のうち「右カバーを開けてください」という内容の第二のメッセージ３９ａが抽出される。
【００２８】
なお、Ｓ１２において、抽出部１２２により、複合機１１の機種に応じて、第二のメッセージ３９のうち先頭のメッセージから所定の番目のメッセージを抽出するようにしてもよい。例えば、図３を参照して、右カバーを有する複合機１１の機種では、複数の第二のメッセージ３９のうち、１番目のメッセージである第二のメッセージ３９ａを抽出するように設定される。
【００２９】
なお、Ｓ１２において、判断部１２５により、抽出部１２２によりマスターメッセージファイル３７から抽出された第二のメッセージ３９が、複合機１１の有するハードウェアの構成のデータである構成データに基づいて適切であるか否かを判断するようにしてもよい。次に、判断部１２５により、第二のメッセージ３９が複合機１１の構成データに基づいて不適切であると判断されれば、警告部１２６により、警告が発せられるようにしてもよい。なお、警告部１２６による警告は、所定のタイミングで表示画面２１に警告メッセージを表示するようにしてもよい。このようにすることで、抽出部１２２により抽出された第二のメッセージ３９が適切でなかった場合に、適切にするように促すことができる。
【００３０】
複合機１１が右カバーを有する場合、複合機１１の右カバーを含む構成データがハードディスク３２に記憶される。そして、第二のメッセージ３９のうち、「左カバーを開けてください」という内容の第二のメッセージ３９ｂが抽出された場合には、複合機１１の上記構成データに基づいて不適切であると判断される。図６は、表示画面２１に警告メッセージが表示された場合の警告メッセージ画面の模式図である。図６を参照して、警告メッセージ画面４５は、識別記号４５ａと、警告メッセージ４５ｂと、を含む。識別記号４５ａは、マスターメッセージファイル３７のうち、不適切な第二のメッセージ３９ｂを含む第二のメッセージ３９に割り振られた識別記号４１ｅが表示される。警告メッセージ４５ｂは、抽出部１２２により抽出された第二のメッセージ３９が適切できないことを報知する内容のメッセージである。
【００３１】
なお、マスターメッセージファイル３７は、外部サーバー３０のサーバー記憶部３６に記憶されるようにしてもよい。Ｓ１１において、取得部１２１により、マスターメッセージファイル３７が記憶された外部サーバー３０からマスターメッセージファイル３７をダウンロードするようにしてもよい。このようにすることで、マスターメッセージファイル３７をハードディスク３２に記憶する必要がないため、ローカルメッセージファイル４２の生成の効率化を図ることができる。また、マスターメッセージファイル３７は、新たなハードウェアを含む複合機１１の機種が開発された場合には、所定のタイミングでメッセージの内容を更新するようにしてもよい。
【００３２】
また、この発明の他の局面において、画像形成装置の表示制御方法は、以下の構成を備える。すなわち、画像形成装置の表示制御方法は、取得工程と、抽出工程と、生成工程と、表示制御工程と、を備える。画像形成装置は、画像を形成する画像形成部と、画像形成部に関する情報を表示する表示部とを含み、複数のハードウェアから構成される。取得工程は、画像形成装置を含む複数の機種の画像形成装置に共通して、ハードウェアの状態を報知する第一のメッセージ、画像形成装置を含む複数の機種の画像形成装置毎にそれぞれ異なり、ハードウェアの状態を報知する複数の第二のメッセージ、および第一のメッセージと第二のメッセージに割り振られる識別記号から構成されるマスターメッセージファイルを、画像形成装置の外部から取得する。抽出工程は、取得工程により取得されたマスターメッセージファイルに含まれる複数の第二のメッセージの中から、画像形成装置に対応する第二のメッセージを抽出する。生成工程は、取得工程により取得された第一のメッセージ、および抽出工程により抽出された第二のメッセージから画像形成装置に対応するローカルメッセージファイルを生成する。表示制御工程は、生成工程により生成されたローカルメッセージファイルを所定のタイミングで表示部に表示するよう制御する。
【００３３】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００３４】
この発明に係る画像形成装置は、画像形成装置の機種毎にメッセージファイルを人手によって生成する手間を省き、開発担当者の作業の効率化を図ることが要求される場合に、特に有効に利用される。
【符号の説明】
【００３５】
１１  複合機、１２  制御部、１２１  取得部、１２２  抽出部、１２３  生成部、１２４  表示制御部、１２５  判断部、１２６  警告部、１３  操作部、１４  画像読み取り部、１５  画像形成部、１８  給紙カセット、１９  載置台、２１  表示画面、２５  用紙搬送部、３０  サーバー、３１  主記憶メモリ、３２  ハードディスク、３４  通信部、３５  サーバー通信部、３６  サーバー記憶部、３７  マスターメッセージファイル、３８  第一のメッセージ、３８ａ，３８ｂ，３８ｃ，３８ｄ  第一のメッセージ、３９  第二のメッセージ、３９ａ，３９ｂ  第二のメッセージ、３９ｃ  符号、４１  識別記号、４１ａ，４１ｂ，４１ｃ，４１ｄ，４１ｅ  識別記号、４２  ローカルメッセージファイル、４３ａ，４３ｂ，４３ｃ，４３ｄ，４３ｅ  メッセージ、４４ａ，４４ｂ，４４ｃ，４４ｄ，４４ｅ  識別記号、４５  警告メッセージ画面、４５ａ  識別記号、４５ｂ  警告メッセージ。
【図１】
2018169565.tif 000003
【図２】
2018169565.tif 000004
【図３】
2018169565.tif 000005
【図４】
2018169565.tif 000006
【図５】
2018169565.tif 000007
【図６】
2018169565.tif 000008